(57)【要約】【課題】内部流路ユニットの損傷を抑制すること。【解決手段】実施形態に係る湯水混合水栓は、内部流路ユニットと、外郭部材と、吐水管と、接続部材とを備える。内部流路ユニットには、内部流路が形成される。外郭部材は、内部流路ユニットが挿入され、内部流路ユニットの挿入方向に直交する断面が円形である内周壁を有する。吐水管は、水と湯との混合水、または水を外部に吐水する。接続部材は、内周壁に形成された挿入孔に挿入され、内部流路ユニットと吐水管とを接続する。また、接続部材は、吐水管に外力が加わった場合に、外郭部材に当接する。【選択図】図６
2020026643.tif 000002
【特許請求の範囲】
【請求項１】
内部流路が形成された内部流路ユニットと、
前記内部流路ユニットが挿入され、前記内部流路ユニットの挿入方向に直交する断面が円形である内周壁を有する外郭部材と、
水と湯との混合水、または前記水を外部に吐水する吐水管と、
前記内周壁に形成された挿入孔に挿入され、前記内部流路ユニットと前記吐水管とを接続する接続部材と
を備え、
前記接続部材は、
前記吐水管に外力が加わった場合に、前記外郭部材に当接する
ことを特徴とする湯水混合水栓。
【請求項２】
前記挿入方向に対して交差する方向から前記内部流路ユニットに挿入される挿入部材を更に備え、
前記接続部材と前記外郭部材との間に形成される隙間は、
前記挿入部材と前記外郭部材との間に形成される隙間よりも小さい
ことを特徴とする請求項１に記載の湯水混合水栓。
【請求項３】
前記接続部材の内周壁と、前記接続部材の内周壁と向かい合う前記内部流路ユニットとの間に設けられたシール部材
を備えることを特徴とする請求項１または２に記載の湯水混合水栓。
【請求項４】
前記内部流路ユニットは、前記内部流路ユニット内部で流路が完結しており、前記内部流路ユニットと前記外郭部材との間にシールが介在していない
ことを特徴とする請求項１〜３のいずれか一つに記載の湯水混合水栓。
【請求項５】
前記接続部材は、
前記内部流路ユニット側の端に面取り部
を備えることを特徴とする請求項１〜４のいずれか一つに記載の湯水混合水栓。
【発明の詳細な説明】
【技術分野】
【０００１】
開示の実施形態は、湯水混合水栓に関する。
【背景技術】
【０００２】
従来、吐水流路を有する流路ユニットを管状の外郭部材に挿入し、例えば、湯と水とを混合した混合水を吐水する湯水混合水栓が知られている（例えば、特許文献１参照）。
【先行技術文献】
【特許文献】
【０００３】
【特許文献１】特開２００２−２２８０４０号公報
【発明の概要】
【発明が解決しようとする課題】
【０００４】
上記する湯水混合水栓では、外郭部材が管状であり曲面であるため、直接吐水管をろうづけすることが出来ない。そこで、例えば、バーリング加工を行うことで接続部を形成した外郭部材に吐水管をろう付けすることで、吐水管が外郭部材に取り付けられていた。バーリング加工を行い、吐水管を外郭部材にろう付けすると湯水混合水栓を製造するためのコストが高くなる。
【０００５】
これに対し、流路ユニットに直接吐水管を接続する方法が考えられる。しかし、流路ユニットに吐水管を接続する湯水混合水栓では、例えば、吐水管に外力が加わった場合に、外力が流路ユニットに伝達され、流路ユニットが損傷するおそれがある。
【０００６】
実施形態の一態様は、吐水管にかかる外力を内部流路ユニットへ伝達せず、内部流路ユニットの損傷を抑制する湯水混合水栓を提供することを目的とする。
【課題を解決するための手段】
【０００７】
実施形態の一態様に係る湯水混合水栓は、内部流路が形成された内部流路ユニットと、前記内部流路ユニットが挿入され、前記内部流路ユニットの挿入方向に直交する断面が円形である内周壁を有する外郭部材と、水と湯との混合水、または前記水を外部に吐水する吐水管と、前記内周壁に形成された挿入孔に挿入され、前記内部流路ユニットと前記吐水管とを接続する接続部材とを備え、前記接続部材は、前記吐水管に外力が加わった場合に、前記外郭部材に当接することを特徴する。
【０００８】
吐水管に外力が加わった場合に、内部流路ユニットと吐水管とを接続する接続部材が、外郭部材に当接することで、吐水管にかかる外力が内部流路ユニットへ伝達されず、内部流路ユニットが損傷することを抑制することができる。
【０００９】
また、湯水混合水栓は、前記挿入方向に対して交差する方向から前記内部流路ユニットに挿入される挿入部材を更に備え、前記接続部材と前記外郭部材との間に形成される隙間は、前記挿入部材と前記外郭部材との間に形成される隙間よりも小さいことを特徴とする。
【００１０】
接続部材と外郭部材との間に形成される隙間を、挿入部材と外郭部材との間に形成される隙間よりも小さくすることで、吐水管に外力が加わった場合に、接続部材の移動を外郭部材で規制し、外力を外郭部材で受けることができる。そのため、内部流路ユニットに外力が伝達されず、内部流路ユニットが損傷することを抑制することができる。
【００１１】
また、前記接続部材の内周壁と、前記接続部材の内周壁と向かい合う前記内部流路ユニットとの間に設けられたシール部材を備えることを特徴とする。
【００１２】
接続部材の内周壁と、内部流路ユニットとの間にシール部材を設けることで、接続部材と内部流路ユニットとの接続状態が緩んだ場合でも、シール性を保持することができ、水などが漏れることを抑制することができる。
【００１３】
また、前記内部流路ユニットは、前記内部流路ユニット内部で流路が完結しており、前記内部流路ユニットと前記外郭部材との間にシールが介在していないことを特徴とする。
【００１４】
内部流路ユニット内部で流路が完結し、外郭部材と内部流路ユニットとの間にシールを用いずに、内部流路ユニットを外郭部材に挿入することができるため、作業性を向上させることができる。また、内部流路ユニットを外郭部材に挿入する際に、外郭部材に対する内部流路ユニットの周方向の位置がずれた場合でも、容易に位置を合わせることができ、作業性を向上させることができる。
【００１５】
また、前記接続部材は、前記内部流路ユニット側の端に面取り部を備えることを特徴とする。
【００１６】
接続部材に面取り部を設けることで、接続部材を外郭部材に容易に挿入することができる。また、接続部材と内部流路ユニットとの接触を抑制することができ、内部流路ユニットの損傷を抑制することができる。
【発明の効果】
【００１７】
実施形態の一態様によれば、内部流路ユニットの損傷を抑制することができる。
【図面の簡単な説明】
【００１８】
【図１】図１は、吐水装置の斜視図である。
【図２】図２は、吐水装置の正面図である。
【図３】図３は、吐水装置の平面図である。
【図４】図４は、図２のIV−IV断面図である。
【図５】図５は、内部流路ユニットの一部の分解斜視図である。
【図６】図６は、図３のVI−VI断面図である。
【図７】図７は、図６の第３接続部材の上端側を拡大した模式図である。
【図８】図８は、図３のVIII−VIII断面図である。
【発明を実施するための形態】
【００１９】
以下、添付図面を参照して、本願の開示する吐水装置の実施形態を詳細に説明する。なお、以下に示す実施形態によりこの発明が限定されるものではない。
【００２０】
吐水装置１は、湯と水とを混合可能な湯水混合水栓である。吐水装置１について、図１〜図４を参照し説明する。図１は、吐水装置１の斜視図である。図２は、吐水装置１の正面図である。図３は、吐水装置１の平面図である。図４は、図２のIV−IV断面図である。
【００２１】
図１〜図４では、説明の便宜上、鉛直上向きを正方向とするＺ軸を含む３次元の直交座標系を図示している。なお、直交座標系は、他の図においても図示している。
【００２２】
直交座標系は、Ｘ軸の正方向を「左方」と規定し、Ｘ軸の負方向を「右方」と規定している。また、直交座標系は、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００２３】
吐水装置１は、水栓本体２と、温度調整ハンドル３と、流量調整ハンドル４と、内部流路ユニット５と、吐水管６と、ハンドシャワー（不図示）とを備える。吐水装置１は、吐水管６、またはハンドシャワーから、水と湯とを混合した混合水、または水を吐水する。
【００２４】
水栓本体２は、円筒状であり、左右方向に延設される。水栓本体２は、金属部材で構成される。水栓本体２には、左右方向に直交する断面が円形である内周壁２ａが形成される。水栓本体２の軸方向は、左右方向に一致する。なお、水栓本体２の外形は、円筒状に限られず、例えば、矩形状であってもよい。水栓本体２は、外郭部材を構成する。
【００２５】
水栓本体２には、内部流路ユニット５が左右方向に挿入される。すなわち、内部流路ユニット５の挿入方向は、左右方向に一致する。水栓本体２には、下方から第３接続部材５０を介して吐水管６を内部流路ユニット５に取り付けるための第１挿入孔２ｅが左右方向における中央付近に形成される。水栓本体２には、後方からシャワーホース７を内部流路ユニット５に取り付けるための第２挿入孔２ｂが左右方向における中央付近に形成される。
【００２６】
水栓本体２の左方端付近には、継ぎ手１０を介して後方から給湯管８が取り付けられ、第３挿入孔２ｃが形成される。第３挿入孔２ｃには、給湯管８から湯を供給する第１接続部材１８が挿入される。水栓本体２の右方端付近には、継ぎ手１１を介して後方から給水管９が取り付けられ、第４挿入孔２ｄが形成される。第４挿入孔２ｄには、給水管９から水を供給する第２接続部材１９が挿入される。
【００２７】
水栓本体２の左方端には、温度調整ハンドル３が取り付けられる。水栓本体２の右方端には、流量調整ハンドル４が取り付けられる。
【００２８】
温度調整ハンドル３は、水栓本体２に対して回動可能に取り付けられる。温度調整ハンドル３は、回動位置に応じて吐水管６、またはハンドシャワーから吐水される流体の種類を、水、または混合水に切り替える。具体的には、温度調整ハンドル３は、水に湯を混合するか否かを切り替える。また、温度調整ハンドル３は、吐水管６、またはハンドシャワーから混合水を吐水する場合に、回動位置に応じて混合水の温度を設定する。
【００２９】
流量調整ハンドル４は、水栓本体２に対して回動可能に取り付けられる。流量調整ハンドル４は、回動位置に応じて、水、または混合水の吐水先を、吐水管６、またはハンドシャワーに切り替える。また、流量調整ハンドル４は、回動位置に応じて、吐水管６、またはハンドシャワーから吐水される水、または混合水の流量を調整する。
【００３０】
ここで、内部流路ユニット５について、図４、および図５を参照し説明する。図５は、内部流路ユニット５の一部の分解斜視図である。
【００３１】
内部流路ユニット５は、水栓本体２と内部流路ユニット５との間に、給水管９から供給される水を流入させずに流すユニットである。すなわち、内部流路ユニット５は、内部で流路が完結するユニットである。そのため、内部流路ユニット５と水栓本体２との間にシールが介在していない。内部流路ユニット５は、内部ケース１５と、温度調整機構１６と、流量調整機構１７とを備える。
【００３２】
内部ケース１５は、温度調整機構１６、および流量調整機構１７を収容する。内部ケース１５は、水栓本体２の内周壁２ａに合わせて、略円筒状に形成される。内部ケース１５は、樹脂部材で構成される。
【００３３】
内部ケース１５には、左後方に第１挿入孔１５ａが形成される。第１挿入孔１５ａには、給湯管８から湯を供給する第１接続部材１８が挿入される。内部ケース１５には、右後方に第２挿入孔１５ｂが形成される。第２挿入孔１５ｂには、給水管９から水を供給する第２接続部材１９が挿入される。
【００３４】
内部ケース１５には、水、湯、または混合水が流れる内部流路２０が形成される。内部流路２０は、内部流路ユニット５と水栓本体２との間に水を流さずに、吐水管６、またはハンドシャワーから水、または混合水を吐水させる流路である。内部流路２０は、湯流通流路２１と、水流通流路２２と、吐水流路２３とによって構成される。
【００３５】
湯流通流路２１は、第１接続部材１８を介して給湯管８から供給された湯が流れる。湯流通流路２１は、内部ケース１５と、温度調整機構１６の第２支持ケース３６と、温度調整機構１６の弁体３０と、隔離壁３７とによって形成される。
【００３６】
水流通流路２２は、第２接続部材１９を介して給水管９から供給された水が流れる。水流通流路２２は、第１流路２２ａと、第２流路２２ｂと、第３流路２２ｃとによって構成される。
【００３７】
第１流路２２ａは、内部ケース１５と、流量調整機構１７の支持ケース４２とによって形成され、第２接続部材１９から水が流入する。
【００３８】
第２流路２２ｂは、第１流路２２ａ、および第３流路２２ｃに連通する。第２流路２２ｂは、内部ケース１５の前方の中央付近に形成された凹部１５ｃと、凹部１５ｃを覆う蓋部１５ｄとによって形成される。蓋部１５ｄと凹部１５ｃとの間には、シール部材６０が設けられる。
【００３９】
蓋部１５ｄは、内部流路ユニット５が水栓本体２に挿入された状態では、水栓本体２の内周壁２ａによって押さえられている。そのため、第２流路２２ｂに水が流入し、第２流路２２ｂ内の水圧が大きくなった場合であっても、蓋部１５ｄは、内周壁２ａによって前方への移動が規制される。従って、第２流路２２ｂからの漏水の発生を防止することができる。
【００４０】
第２流路２２ｂは、右方に形成された第１流通孔１５ｅを介して第１流路２２ａに連通し、第１流路２２ａから水が流入する。また、第２流路２２ｂは、左方に形成された第２流通孔１５ｆを介して第３流路２２ｃに連通し、第３流路２２ｃに水を流入させる。
【００４１】
第３流路２２ｃは、内部ケース１５と、温度調整機構１６の第１支持ケース３５と、温度調整機構１６の弁体３０と、隔離壁３７とによって形成される。第３流路２２ｃは、左右方向において隔離壁３７を挟んで湯流通流路２１と隣り合うように形成される。
【００４２】
吐水流路２３は、湯流通流路２１や、水流通流路２２よりも内部ケース１５の径方向内側に、温度調整機構１６の第１支持ケース３５、第２支持ケース３６などによって形成される。吐水流路２３は、水流通流路２２の第３流路２２ｃに連通し、第３流路２２ｃから水が流入する。
【００４３】
また、吐水流路２３は、温度調整ハンドル３の回動に応じた温度調整機構１６の弁体３０の移動によって湯流通流路２１に連通可能である。吐水流路２３は、湯流通流路２１に連通し、湯流通流路２１から湯が流入した場合には、水と湯とを混合し、混合水を生成する。
【００４４】
吐水流路２３は、左右方向の中央付近で内部ケース１５に形成された第１吐水口１５ｈ（図６参照）を介して吐水管６に連通可能である。また、吐水流路２３は、左右方向の中央付近で内部ケース１５に形成された第２吐水口１５ｇを介してシャワーホース７に連通可能である。吐水流路２３には、第１吐水口１５ｈや、第２吐水口１５ｇを開閉する流量調整機構１７の切替弁４１が設けられる。
【００４５】
なお、湯流通流路２１、水流通流路２２、および吐水流路２３を構成する部材には、各流路２１〜２３から水などが漏れないようにシール部材が設けられている。
【００４６】
このように、内部流路ユニット５は、水流通流路２２を有しており、給水管９から供給される水を内部流路ユニット５の外部、具体的には、内部流路ユニット５と水栓本体２との間を流すことなく、吐水流路２３に流すことができる。
【００４７】
温度調整機構１６は、弁体３０と、感温ばね３１と、バイアスばね３２と、ライナ３３と、スピンドル３４とを備える。
【００４８】
感温ばね３１は、左右方向の中央側に設けられた第１支持ケース３５に収容される。感温ばね３１は、吐水流路２３に設けられる。感温ばね３１は、温度に応じてばね定数が変化するばねであり、例えば、形状記憶合金によって構成される。感温ばね３１は、弁体３０を左方に向けて付勢する。
【００４９】
バイアスばね３２は、第１支持ケース３５よりも左方に設けられた第２支持ケース３６に収容される。バイアスばね３２は、吐水流路２３に設けられる。バイアスばね３２は、温度に対してばね定数がほぼ一定のばねである。バイアスばね３２は、弁体３０を右方に向けて付勢する。
【００５０】
弁体３０は、第１支持ケース３５と、第２支持ケース３６との間に設けられる。弁体３０は、左右方向に移動可能となるように隔離壁３７を介して内部ケース１５に支持される。隔離壁３７は、左右方向において湯流通流路２１と、水流通流路２２の第３流路２２ｃとを隔離する。弁体３０には、左右方向に貫通する貫通孔（不図示）が形成され、水や、混合水を左右方向に流通させることができる。
【００５１】
弁体３０は、バイアスばね３２の付勢力と、感温ばね３１の付勢力と応じて左右方向に移動し、湯流通流路２１と吐水流路２３との連通状態を調整する。
【００５２】
具体的には、弁体３０は、感温ばね３１の付勢力がバイアスばね３２の付勢力よりも大きい場合には、左方に移動する。弁体３０が左方に移動し、第２支持ケース３６に当接すると、湯流通流路２１と吐水流路２３との連通が遮断される。この場合、湯は吐水流路２３に流入しない。
【００５３】
また、弁体３０は、バイアスばね３２の付勢力が感温ばね３１の付勢力よりも大きい場合には、右方に移動する。例えば、弁体３０が第２支持ケース３６に当接した状態から、バイアスばね３２の付勢力が大きくなり、第２支持ケース３６から離間すると、湯流通流路２１と吐水流路２３とが連通する。これにより、湯が吐水流路２３に流入する。
【００５４】
弁体３０は、第２支持ケース３６から離間した状態では、バイアスばね３２の付勢力と、感温ばね３１の付勢力とが釣り合う位置に保持される。弁体３０と第２支持ケース３６との距離が長くなるほど、吐水流路２３に流入する湯量が多くなる。また、弁体３０と第２支持ケース３６との距離が長くなるほど、弁体３０と第１支持ケース３５との距離が短くなり、吐水流路２３に流入する水量が少なくなる。
【００５５】
ライナ３３は、弁体３０とは反対側のバイアスばね３２の端に当接し、スピンドル３４を介して温度調整ハンドル３に接続される。スピンドル３４は、第２支持ケース３６に回動可能に支持され、温度調整ハンドル３の回動運動をライナ３３の左右方向における直進運動に変換する。そのため、ライナ３３は、温度調整ハンドル３の回動に応じて、左右方向に移動する。
【００５６】
温度調整機構１６では、温度調整ハンドル３の回動位置に合わせて、ライナ３３が左右方向に移動し、バイアスばね３２の左方端の位置が変更される。そのため、温度調整機構１６は、温度調整ハンドル３の回動位置に合わせて、バイアスばね３２の付勢力と、感温ばね３１の付勢力とが釣り合う弁体３０の位置を変更することができる。従って、温度調整機構１６は、混合水を吐水する場合に、混合水の温度を、温度調整ハンドル３の回動位置に応じた設定温度とすることができる。
【００５７】
また、混合水を吐水する場合に、例えば、湯の温度が変わり混合水の温度が変化すると、混合水の温度に応じて感温ばね３１が伸縮し、弁体３０が左右方向に移動し、弁体３０の釣り合い位置が自動的に変更される。これにより、吐水流路２３に流入する湯量、および水量が調整され、混合水の温度が自動的に調整される。
【００５８】
流量調整機構１７は、回動軸４０と、切替弁４１とを備える。回動軸４０は、支持ケース４２に回動可能に支持される。回動軸４０の一方の端は、流量調整ハンドル４に接続され、もう一方の端は、切替弁４１に接続される。
【００５９】
切替弁４１は、吐水流路２３に設けられる。切替弁４１は、有底の円筒状であり、流量調整ハンドル４の回動に合わせて回動軸４０とともに回動する。切替弁４１には、連通口４１ａが形成される。切替弁４１は、内部ケース１５に形成された第１吐水口１５ｈ、および第２吐水口１５ｇと向かい合うように設けられる。切替弁４１は、流量調整ハンドル４の回動に合わせて回動することで、連通口４１ａと、第１吐水口１５ｈ、および第２吐水口１５ｇとの連通状態を切り替える。
【００６０】
具体的には、流量調整ハンドル４が所定の止水位置にある場合には、連通口４１ａは、第１吐水口１５ｈ、および第２吐水口１５ｇとは連通しない。そのため、流量調整ハンドル４が所定の止水位置にある場合には、水、または混合水は、吐水管６、およびハンドシャワーから吐水されない。
【００６１】
流量調整ハンドル４が、止水位置から後方に向けて回動した場合には、例えば、連通口４１ａが第２吐水口１５ｇと連通する。これにより、水、または混合水は、第２吐水口１５ｇからシャワーホース７に流入し、ハンドシャワーから吐水される。
【００６２】
また、流量調整ハンドル４が、止水位置から前方に向けて回動した場合には、例えば、連通口４１ａが第１吐水口１５ｈと連通する。これにより、水、または混合水は、第１吐水口１５ｈから吐水管６に流入し、吐水管６から吐水される。
【００６３】
切替弁４１は、流量調整ハンドル４の回動位置に応じて連通口４１ａと、第１吐水口１５ｈ、または第２吐水口１５ｇとが連通する面積を変更することができる。すなわち、流量調整機構１７は、流量調整ハンドル４の回動位置に合わせて吐水管６、またはハンドシャワーから吐水される水、または混合水の流量を調整することができる。
【００６４】
次に、第３接続部材５０について図６を参照し説明する。図６は、図３のVI−VI断面図である。第３接続部材５０は、水栓本体２に形成された第１挿入孔２ｅに挿入される。第３接続部材５０は、内部流路ユニット５と吐水管６とを接続し、第１吐水口１５ｈから水、または混合水を吐水管６に流入させる。
【００６５】
第３接続部材５０は、金属部材で構成される。第３接続部材５０は、本体部５１と、取付部５２とを備える。第３接続部材５０は、接続部材を構成する。
【００６６】
本体部５１は、円筒状である。本体部５１の上端側は、水栓本体２に形成された第１挿入孔２ｅに挿入される。本体部５１の上端には、面取り部５１ａが形成される。面取り部５１ａが形成されることで、本体部５１の上端を第１挿入孔２ｅに容易に挿入することができる。また、面取り部５１ａが形成されることで、例えば、吐水管６の外力が加わった場合に、第３接続部材５０の本体部５１の上端が内部流路ユニット５の内部ケース１５と当接することを抑制し、内部流路ユニット５の損傷を抑制することができる。
【００６７】
本体部５１の上端側の内周壁５１ｂと、内周壁５１ｂと向かい合う内部流路ユニット５の内部ケース１５の外周壁１５ｉとの間には、シール部材６１が設けられる。
【００６８】
シール部材６１は、内部流路ユニット５に対して第３接続部材５０が上下方向に移動した場合、例えば、第３接続部材５０と内部流路ユニット５との接続状態が緩んだ場合でも、水や、混合水が漏れることを防止する軸シールである。すなわち、第３接続部材５０は、シール部材６１によって内部流路ユニット５に水密に接続されている。
【００６９】
本体部５１には、吐水管６の挿入部６ａが挿入される。本体部５１は、下端側がナット６２によって締め付けられることで、挿入部６ａと接続される。
【００７０】
取付部５２は、本体部５１の内周壁５１ｂから本体部５１の径方向内側に向けて突出する。取付部５２は、ネジ６３が内部流路ユニット５に取り付けられることで、ネジ６３の頭部６３ａと内部流路ユニット５とによって挟持される。これにより、第３接続部材５０は、内部流路ユニット５に取り付けられる。
【００７１】
上記構成の第３接続部材５０では、図７に示すように、水栓本体２の第１挿入孔２ｅを形成する挿入壁２ｆと、本体部５１との間に所定隙間（隙間）ｄが形成される。図７は、図６の第３接続部材５０の上端側を拡大した模式図である。所定隙間ｄは、吐水管６に外力が加わった場合に内部流路ユニット５の移動を規制可能な他の部材間に形成される隙間よりも小さい。他の部材は、挿入方向に対して交差する方向から内部流路ユニット５に挿入される挿入部材であり、例えば、第１接続部材１８や、第２接続部材１９である。すなわち、所定隙間ｄは、挿入部材と水栓本体２との間に形成される隙間よりも小さい。所定隙間ｄは、例えば、図８に示す第２接続部材１９と継ぎ手１１との間に形成される隙間や、第２接続部材１９と水栓本体２との間に形成される隙間よりも小さい。図８は、図３のVIII−VIII断面図である。
【００７２】
吐水装置１では、水栓本体２と内部流路ユニット５の間に水流通流路２２が形成されておらず、水栓本体２と内部流路ユニット５との間には、シール部材などが設けられていない。そのため、吐水装置１では、水栓本体２に対して内部流路ユニット５が、固定されておらず、例えば、左右方向や、水栓本体２の周方向に移動可能である。
【００７３】
そのため、吐水管６に外力が加わった場合に、第３接続部材５０を介して吐水管６が接続される内部流路ユニット５が移動することがある。
【００７４】
このような場合に、他の部材同士が当接するよりも早く第３接続部材５０と水栓本体２とが当接するように所定隙間ｄが設けられる。これにより、吐水装置１は、吐水管６に外力が加わった場合に、外力を水栓本体２で受け、内部流路ユニット５に外力を伝達しない。
【００７５】
吐水装置１は、吐水管６に外力が加わった場合に、第３接続部材５０が水栓本体２に当接する。これにより、吐水装置１は、吐水管６に外力が加わった場合に、内部流路ユニット５に外力を伝達せず、内部流路ユニット５が損傷することを抑制することができる。
【００７６】
吐水装置１は、第３接続部材５０と水栓本体２との間に形成される所定隙間ｄを、挿入方向に対して交差する方向から内部流路ユニット５に挿入される挿入部材（例えば、第２接続部材１９）と水栓本体２との間に形成される隙間よりも小さくする。
【００７７】
これにより、吐水装置１は、吐水管６に外力が加わった場合に、第３接続部材５０の移動を水栓本体２で規制し、外力を水栓本体２で受けることができる。そのため、吐水装置１は、内部流路ユニット５に外力を伝達せず、内部流路ユニット５が損傷することを抑制することができる。
【００７８】
吐水装置１は、第３接続部材５０の本体部５１の内周壁５１ｂと、内部流路ユニット５の外周壁１５ｉとの間にシール部材６１を備える。これにより、吐水装置１は、内部流路ユニット５に対する第３接続部材５０の接続状態が緩んだ場合でも、シール性を保持し、水や、混合水が漏れることを抑制することができる。
【００７９】
吐水装置１は、給水管９から水を流入する水流通流路２２を内部流路ユニット５に備え、内部流路ユニット５内部で流路が完結し、内部流路ユニット５と水栓本体２との間にシールが介在しない。そのため、吐水装置１は、内部流路ユニット５を水栓本体２に容易に挿入することができ、作業性を向上させることができる。また、吐水装置１は、内部流路ユニット５を水栓本体２に挿入する際に、水栓本体２に対する内部流路ユニット５の周方向の位置がずれた場合でも、水栓本体２に対する内部流路ユニット５の位置合わせを容易に行うことができ、作業性を向上させることができる。
【００８０】
吐水装置１は、第３接続部材５０の本体部５１の上端に面取り部５１ａを備える。これにより、吐水装置１は、第３接続部材５０を水栓本体２に容易に挿入することができる。また、吐水装置１は、第３接続部材５０が内部流路ユニット５に接触することを抑制することができ、内部流路ユニット５が損傷することを抑制することができる。
【００８１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８２】
１      吐水装置（湯水混合水栓）
２      水栓本体（外郭部材）
２ａ    内周壁
５      内部流路ユニット
６      吐水管
１８    第１接続部材（挿入部材）
１９    第２接続部材（挿入部材）
２０    内部流路
２２    水流通流路
５０    第３接続部材（接続部材）
５１    本体部
５１ａ  面取り部
５１ｂ  内周壁
５２    取付部
６１    シール部材
【図１】
2020026643.tif 000003
【図２】
2020026643.tif 000004
【図３】
2020026643.tif 000005
【図４】
2020026643.tif 000006
【図５】
2020026643.tif 000007
【図６】
2020026643.tif 000008
【図７】
2020026643.tif 000009
【図８】
2020026643.tif 000010